(57)【要約】【課題】シール性を確保することができるシール構造およびシール構造の施工方法を提供する。【解決手段】屋内側と屋外側とにわたって貫通孔２が形成された壁部１と、貫通孔を挿通する配設部材３と、貫通孔２の内周面と配設部材３との間の空間をシールするシール部４と、を備えるシール構造に関する。シール部４は、貫通孔２の内周面と配設部材３との間に充填された充填シール材５と、貫通孔２の内周面と配設部材３とにわたるように、充填シール材５の屋外側を向く面および屋内側を向く面のうちの少なくとも一方に積層された伸縮性部材６と、を備え、伸縮性部材６は、貫通孔２の径方向における外側に向かうにしたがって充填シール材側に向かって延びる第一傾斜部６ａと、第一傾斜部６ａの径方向における一方側に接続されて、径方向における外側に向かうにしたがって充填シール材５と反対側に向かって延びる第二傾斜部６ｂと、を有する。【選択図】図９
2014025264.tif 000002
【特許請求の範囲】
【請求項１】
屋内側と屋外側とにわたって貫通孔が形成された壁部と、
前記貫通孔を挿通する配設部材と、
前記貫通孔の内周面と前記配設部材との間の空間をシールするシール部と、
を備え、
前記シール部は、
前記貫通孔の内周面と前記配設部材との間に充填された充填シール材と、
前記貫通孔の内周面と前記配設部材とにわたるように、前記充填シール材の前記屋外側を向く面および屋内側を向く面のうちの少なくとも一方に積層された伸縮性部材と、
を備え、
該伸縮性部材は、
前記貫通孔の径方向における外側に向かうにしたがって前記充填シール材側に向かって延びる第一傾斜部と、
該第一傾斜部の前記径方向における一方側に接続されて、前記径方向における外側に向かうにしたがって前記充填シール材と反対側に向かって延びる第二傾斜部と、
を有することを特徴とするシール構造。
【請求項２】
前記径方向における一方側は、前記径方向における内側であることを特徴とする請求項１に記載のシール構造。
【請求項３】
前記径方向における一方側は、前記径方向における外側であることを特徴とする請求項１に記載のシール構造。
【請求項４】
前記伸縮性部材は、前記第一傾斜部および前記第二傾斜部の少なくとも一方を複数有し、
、これら第一傾斜部および第二傾斜部は、前記径方向において交互に接続されていることを特徴とする請求項１から３のいずれか一項に記載のシール構造。
【請求項５】
前記第一傾斜部および前記第二傾斜部は、前記配設部材の軸を中心とした同心円状をなしていることを特徴とする請求項１から４のいずれか一項に記載のシール構造。
【請求項６】
壁部の屋内側および屋外側にわたる貫通孔の内周面と該貫通孔を挿通する配設部材との間の空間に、前記貫通孔の径方向における外側に向かうにしたがって前記壁部の厚さ方向の一方側に延びる第一傾斜板部と、該第一傾斜板部の前記径方向における一方側に接続されて、前記径方向における外側に向かうにしたがって前記壁部の厚さ方向の他方側に延びる第二傾斜板部と、を有する型枠を設置する工程と、
前記型枠内に充填シール材を注入する工程と、
前記型枠内で前記充填シール材が硬化した後に前記型枠を除去する工程と、
硬化した前記充填シール材の余剰部分を除去する工程と、
前記充填シール材における前記第一傾斜板部により形成された第一傾斜面および前記第二傾斜板部により形成された第二傾斜面を含む前記充填シール材の面に、前記貫通孔の内周面と前記配設部材とにわたるように伸縮性部材を積層する工程と、
を備えることを特徴とするシール構造の施工方法。
【請求項７】
前記型枠を設置する工程の前に、
前記貫通孔を前記壁部に形成する工程と、
前記配設部材を前記貫通孔に挿通する工程と、
を備えることを特徴とする請求項６に記載のシール構造の施工方法。
【発明の詳細な説明】
【技術分野】
【０００１】
本発明は、壁部に形成された貫通孔と該貫通孔を挿通する配管等の配設部材との間の空間をシールするシール部を備えたシール構造、及び、該シール構造の施工方法に関する。
【背景技術】
【０００２】
従来から、建屋の外壁等を構成する壁部には、建屋の内外に貫通する貫通孔が形成され、この貫通孔に配管等の配設部材を挿通することで建屋の屋外から屋内又は屋内から屋外への流体等の供給や排出を可能としている。この際、貫通孔と配設部材との間は、屋内外の気密性および水密性を確保するために、貫通孔の内周面と配設部材の外周面との間の隙間に弾性体を含むシール部を設けてシール構造を構成している（例えば、特許文献１参照）。
【０００３】
具体的には、図１７に示すように、シール部４は、壁部１に形成された貫通孔２の内周面２ａと配管３の外周面３ａとの間に充填された発泡ウレタンによって形成された充填シール材５と、充填シール材５の屋外側に配置されたシリコンシーラントなどの高伸縮性材料によって形成された伸縮性部材６とを有している。
【先行技術文献】
【特許文献】
【０００４】
【特許文献１】特開昭６２−０４６０７８号公報
【発明の概要】
【発明が解決しようとする課題】
【０００５】
ところで、配管３と壁部１とは上述したようなシール部４を介して接続されているため、例えば地震などが発生すると配管３と壁部１との相対的位置関係が変化することがある。即ち、図１３に示すように、例えば、配管３の下方の隙間が小さくなるとともに、配管３の上方の隙間が大きくなる場合がある。
【０００６】
このように、壁部１と配管３とが相対変位すると、図１８に示すように、配管３の下方の充填シール材５が配管３と壁部１によって圧縮されるとともに、配管３の上方の充填シール材５が配管３から離間してしまう。この際、充填シール材５と伸縮性部材６とは全面で接着されているため、圧縮された下方の伸縮性部材６が座屈して伸縮性部材６に亀裂が発生する結果、シール性が低下する虞がある。
【０００７】
本発明は、このような事情を考慮してなされたもので、その目的は、シール性を確保することができるシール構造及びシール構造の施工方法を提供することにある。
【課題を解決するための手段】
【０００８】
上記課題を解決するために、本発明は以下の手段を提供している。
即ち、本発明のシール構造は、屋内側と屋外側とにわたって貫通孔が形成された壁部と、前記貫通孔を挿通する配設部材と、前記貫通孔の内周面と前記配設部材との間の空間をシールするシール部とを備え、前記シール部は、前記貫通孔の内周面と前記配設部材との間に充填された充填シール材と、前記貫通孔の内周面と前記配設部材とにわたるように、前記充填シール材の前記屋外側を向く面および屋内側を向く面のうちの少なくとも一方に積層された伸縮性部材と、を備え、該伸縮性部材は、前記貫通孔の径方向における外側に向かうにしたがって前記充填シール材側に向かって延びる第一傾斜部と、該第一傾斜部の前記径方向における一方側に接続されて、前記径方向における外側に向かうにしたがって前記充填シール材と反対側に向かって延びる第二傾斜部と、を有することを特徴とする。
【０００９】
上記構成によれば、壁部と配設部材との相対変位により伸縮性部材が圧縮された場合においても、第一傾斜部および第二傾斜部の部分が曲げ変形することによって相対変位を吸収することができる。
【００１０】
上記シール構造において、前記径方向における一方側は、前記径方向における内側であることが好ましい。
上記構成によれば、伸縮性部材および充填シール材を、充填シール材側から見て伸縮性部材のある方向に突出した凸形状とすることで、圧縮された伸縮性部材が曲げ変形しながら充填シール材と反対方向に逃げることができる。したがって、伸縮性部材の座屈を回避し易くなる。また、引張り側の伸縮性部材が充填シール材との接着による拘束が弱まり易いため、支点間距離が長くなることで引っ張りによる亀裂や切断の発生を低減し易くなる。
【００１１】
上記シール構造において、前記径方向における一方側は、前記径方向における外側であることが好ましい。
上記構成によれば、伸縮性部材および充填シール材を、伸縮性部材側から見て充填シール材のある方向に窪んだ凹形状とすることで、圧縮された伸縮性部材が窪んだ凹部に逃げることができる。これによって、伸縮性部材の座屈を回避しやすくなる。
【００１２】
上記シール構造において、前記伸縮性部材は、前記第一傾斜部および前記第二傾斜部の少なくとも一方を複数有し、これら第一傾斜部および第二傾斜部は、前記径方向において交互に接続されていることが好ましい。
上記構成によれば、伸縮性部材が径方向において交互に接続される第一傾斜部および第二傾斜部の少なくとも一方を複数有することで、伸縮性部材の曲げ変形、および、それによる相対変位の吸収を径方向における複数箇所に分散させることができるので、伸縮性部材の座屈をより回避し易くなる。
【００１３】
上記シール構造において、前記第一傾斜部および前記第二傾斜部は、前記配設部材の軸を中心とした同心円状をなしていることが好ましい。
上記構成によれば、第一傾斜部および第二傾斜部が同心円状をなすことで、圧縮や引張りによって伸縮性部材に加えられる力を周方向において均一に分散させ易くなり、局所的な応力集中による伸縮性部材の座屈を回避し易くなる。また、加工性および施工性を向上させることができる。
【００１４】
また、本発明のシール構造の施工方法は、壁部の屋内側および屋外側にわたる貫通孔の内周面と該貫通孔を挿通する配設部材との間の空間に、前記貫通孔の径方向における外側に向かうにしたがって前記壁部の厚さ方向の一方側に延びる第一傾斜板部と、該第一傾斜板部の前記径方向における一方側に接続されて、前記径方向における外側に向かうにしたがって前記壁部の厚さ方向の他方側に延びる第二傾斜板部と、を有する型枠を設置する工程と、前記型枠内に充填シール材を注入する工程と、前記型枠内で前記充填シール材が硬化した後に前記型枠を除去する工程と、硬化した前記充填シール材の余剰部分を除去する工程と、前記充填シール材における前記第一傾斜板部により形成された第一傾斜面および前記第二傾斜板部により形成された第二傾斜面を含む前記充填シール材の面に、前記貫通孔の内周面と前記配設部材とにわたるように伸縮性部材を積層する工程と、を備えることを特徴とする。
上記方法によれば、上述したシール構造を容易に施工することができる。
【００１５】
上記シール構造の施工方法において、前記型枠を設置する工程の前に、前記貫通孔を前記壁部に形成する工程と、前記配設部材を前記貫通孔に挿通する工程と、を備えていてもよい。
上記方法によれば、壁部に対して新たに配設部材をシール性高く挿通させることができる。
【発明の効果】
【００１６】
本発明によれば、壁部と配設部材との相対変位により伸縮性部材が圧縮された場合に第一傾斜部および第二傾斜部の部分が曲げ変形することによって相対変位を吸収することができる。したがって、伸縮性部材が座屈してしまうことを避けられるため、シール構造のシール性を確保することができる。
【図面の簡単な説明】
【００１７】
【図１】本発明の第一実施形態に係るシール構造を採用した建屋要部の一例を示す断面図である。
【図２】図１における矢印Ａの方向から見た矢視図である。
【図３】本発明の第一実施形態に係るシール構造の施工方法を説明する建屋要部の断面図であって、壁部に貫通孔を形成して配管を挿通させる工程を説明する図である。
【図４】本発明の第一実施形態に係るシール構造の施工方法を説明する建屋要部の断面図であって、配管と貫通孔との間に型枠を設置する工程を説明する図である。
【図５】本発明の第一実施形態に係るシール構造の施工方法を説明する建屋要部の断面図であって、型枠内に充填シール材を充填する工程を説明する図である。
【図６】本発明の第一実施形態に係るシール構造の施工方法を説明する建屋要部の断面図であって、充填シール材が硬化した後、型枠を除去する工程を説明する図である。
【図７】本発明の第一実施形態に係るシール構造の施工方法を説明する建屋要部の断面図であって、充填シール材の余剰部分であるバリを除去する工程を説明する図である。
【図８】本発明の第一実施形態に係るシール構造の施工方法を説明する建屋要部の断面図であって、プライマーと伸縮性部材を施工する工程を説明する図である。
【図９】本発明の第一実施形態に係るシール構造において壁部と配管との間に相対変位が生じたことを示す断面図である。
【図１０】本発明の第一実施形態に係るシール構造の施工方法の変形例を説明する建屋要部の断面図である。
【図１１】本発明の第二実施形態に係るシール構造を採用した建屋要部の一例を示す断面図である。
【図１２】本発明の第二実施形態に係るシール構造において壁部と配管との間に相対変位が生じたことを示す断面図である。
【図１３】本発明の第三実施形態に係るシール構造を採用した建屋要部の一例を示す断面図である。
【図１４】本発明の各実施形態に係るシール構造を採用した建屋要部の変形例を示す断面図である。
【図１５】本発明の各実施形態に係るシール構造を採用した建屋要部の変形例を示す断面図である。
【図１６】本発明の各実施形態に係るシール構造を採用した建屋要部の変形例を示す断面図である。
【図１７】従来のシール構造を採用した建屋要部の断面図である。
【図１８】従来のシール構造において壁部と配管との間に相対変位が生じたことを示す断面図である。
【発明を実施するための形態】
【００１８】
（第一実施形態）
以下、本発明の第一実施形態のシール構造について図面を参照して詳細に説明する。
図１に示すように、本実施形態のシール構造は、壁部１と、配管（配設部材）３と、シール部４と、を備えている。即ち、建屋等の外壁を構成する壁部１には貫通孔２が形成されている。貫通孔２は壁部１の屋内側である第一の面１ａと屋外側である第二の面１ｂとにわたって貫通している。また、配管３は、この貫通孔２に屋内及び屋外に跨って挿通されている。
【００１９】
壁部１はコンクリートなどによって形成されており、所定の水圧に耐えられる十分な厚さ寸法とされている。図２に示すように、貫通孔２は、その内径が配管３の外径寸法などの設計仕様に基づいて決定されている断面円形の孔である。配管３は、金属などによって形成されている断面円形の管部材である。配管３は、配管３の軸方向（以下、単に軸方向という）から視て、貫通孔２の略中央に該貫通孔２と同軸に配置されている。なお、配管３は、必ずしも略中央に配置されていなくてもよい。
【００２０】
貫通孔２と配管３との間には、貫通孔２の内周面２ａと配管３の外周面３ａとの間の空間をシールするシール部４が形成されている。シール部４は、貫通孔２の軸方向屋内側（図１における左側）に充填された充填シール材５と、貫通孔２の軸方向屋外側（図１における右側）に充填された伸縮性部材６とを有している。
【００２１】
充填シール材５としては、配管３の内部を通る流体の温度や建屋内温度等に応じた耐熱性を備えた弾性発泡材が用いられている。この充填シール材５は、貫通孔２の内周面２ａと配管３の外周面３ａとの間に液状で充填された後に硬化させることで、貫通孔２の内周面２ａと配管３の外周面３ａとの間の気密性および水密性を確保する。本実施形態においては、気密性および水密性の確保の観点から、充填シール材５としてウレタン等の弾性発泡材が用いられている。
【００２２】
充填シール材５の屋外側を向く面は、貫通孔２の径方向（以下、単に径方向という）における外側に位置する第一傾斜面５ａと、その内側に接続される第二傾斜面５ｂとを備えている。
第一傾斜面５ａは、縦断面（配管３の軸線を含む断面）視において、径方向外側に向かうにしたがって屋外側から屋内側に向かって直線状に延びており、換言すれば、壁部１の屋外側である第二の面１ｂから壁部１の厚さ方向（配管３の軸方向）における中央部を向く方向（壁部１の厚さ方向の一方側、ここでは図１における右側から左側を向く方向）に直線状に延びる環状の円錐台面状をなしている。
【００２３】
一方、第二傾斜面５ｂは、縦断面視において、径方向外側に向かうにしたがって屋内側から屋外側に向かって直線状に延びており、換言すれば、壁部１の厚さ方向（配管３の軸方向）における中央部から壁部１の屋外側である第二の面１ｂを向く方向（壁部１の厚さ方向の他方側、ここでは図１における左側から右側を向く方向）に直線状に延びる環状の円錐台面状をなしている。
【００２４】
即ち、第一傾斜面５ａと第二傾斜面５ｂとでは、径方向外側に向かうにしたがって延びる方向が互いに反対となっている。したがって、第一傾斜面５ａの径方向の内側の端部に第二傾斜面５ｂの径方向の外側の端部が接続されることにより、充填シール材５の屋外側を向く面における第一傾斜面５ａおよび第二傾斜面５ｂの接続部が屋内側から屋外側に向けて突出する凸面状となっている。また、第一傾斜面５ａおよび第二傾斜面５ｂは、貫通孔２または配管３の軸を中心とした同心円状となるように接続されている。なお、接続される径方向位置は、径方向における貫通孔２の内周面２ａと配管３の外周面３ａとのほぼ中間付近が好ましいが、これに限定されるものではない。
【００２５】
一方、充填シール材５の屋内側を向く面は、径方向に沿った方向に延びる環状かつ平面状の側面５ｃとなっている。なお、側面５ｃは必ずしも径方向に沿った方向に延びる必要はなく、軸方向のいずれかに傾斜していても構わない。また、側面５ｃの形状は、平面形状に限られることはなく、曲面や凹凸面など他の面形状でも構わない。
【００２６】
伸縮性部材６は、充填シール材５の屋外側を向く凸形状の面全体にほぼ一定の厚さで積層されるように配置されている。また、伸縮性部材６は、外周側が貫通孔２の内周面２ａに固定されるとともに、内周側が配管３の外周面３ａに固定されている。この伸縮性部材６は、高い伸縮性を有する材料によって形成されている。
また、伸縮性部材６と配管３の外周面３ａとの間、および伸縮性部材６と貫通孔２の内周面２ａとの間には、プライマー７が介在している。換言すれば、伸縮性部材６は、貫通孔２の内周面２ａおよび配管３の外周面３ａに下地としてのプライマー７が塗布された状態で積層されている。
【００２７】
伸縮性部材６は、高い伸縮性（弾性）を有するシーリング材であり、本実施形態の伸縮性部材６は、シリコンシーラントによって形成されている。即ち、伸縮性部材６は、施工後において配管３が壁部１に対して相対的に動くことにより、配管３と貫通孔２との距離が変化する場合においても、配管３の動きに対して追従する性能を有している。
【００２８】
伸縮性部材６は、充填シール材５の屋外側を向く凸面全体にわたって積層された第一傾斜部６ａおよび第二傾斜部６ｂを有している。
第一傾斜部６ａは、充填シール材５の第一傾斜面５ａと同様に、縦断面視において、径方向外側に向かうにしたがって屋外側から屋内側に向かって直線状に延びており、換言すれば、充填シール材５側に向かって直線状に延びる環状の円錐台状をなしている。
また、第二傾斜部６ｂは、充填シール材５の第二傾斜面５ｂと同様に、縦断面視において、径方向外側に向かうにしたがって屋内側から屋外側に向かって直線状に延びており、換言すれば、充填シール材５とは反対側に向かって直線状に延びる環状の円錐台状をなしている。
即ち、第一傾斜部６ａと第二傾斜部６ｂとでは、径方向外側に向かうにしたがって延びる方向が互いに反対となっている。したがって、第一傾斜部６ａの径方向の内側の部分に第二傾斜部６ｂの径方向の外側の部分が接続されることにより、伸縮性部材６の径方向中間部（第一傾斜部６ａと第二傾斜部６ｂの接続部）が屋内側から屋外側に向けて突出する凸形状となっている。
【００２９】
また、第一傾斜部６ａおよび第二傾斜部６ｂは、貫通孔２または配管３の軸を中心とした同心円状となるように接続された充填シール材５の第一傾斜面５ａおよび第二傾斜面５ｂ上に積層される。したがって、第一傾斜部６ａおよび第二傾斜部６ｂもこれらに対応して自ずと、図２に示すように、貫通孔２または配管３の軸を中心とした同心円状に設けられることとなる。
【００３０】
プライマー７は、伸縮性部材６と貫通孔２の内周面２ａとの接着性、および伸縮性部材６と配管３の外周面３ａとの接着性を向上させるために塗布される下地材である。プライマー７は、伸縮性部材６が接着される対象に応じて適宜選択される。例えば、コンクリート製の壁部１に形成された貫通孔２の内周面２ａと伸縮性部材６との間に塗布するプライマー７は、シリコーン変性ウレタン系の樹脂を酢酸ブチルの溶剤で溶解させたプライマー７（例えば、モメンティブ社、トスプライムＣ（登録商標））が好ましい。
【００３１】
また、金属製の配管３の外周面３ａと伸縮性部材６との間に塗布するプライマー７は、シラン系の樹脂をアセトン、ＩＰＡ、およびトルエンからなる溶剤で溶解させたプライマー７(例えば、モメンティブ社、トスプライムＤ（登録商標））が好ましい。
また、伸縮性部材６と貫通孔２の内周面２ａとの接着性、および、伸縮性部材６と配管３の外周面３ａとの接着性のうちの一方、又は両方が十分であれば、プライマー７を省略することができる。
【００３２】
さらに、配管３の材質は金属に限ることはなく、塩化ビニールなどの樹脂や、コンクリートを採用することもできる。例えば、配管３として塩化ビニールを用いる場合、配管３と伸縮性部材６との間のプライマー７は樹脂と伸縮性部材６との接着性、耐久性を向上させるような成分とする必要がある。
【００３３】
次に、本実施形態のシール構造の施工方法について説明する。
まず、図３に示すように、壁部１に屋内側の第一の面１ａおよび屋外側の第二の面１ｂにわたって貫通する断面円形状の貫通孔２を形成する（工程１）。
そして、貫通孔２の略中心位置に断面円形状の配管３を挿通させる（工程２）。
【００３４】
次いで、図４に示すように、配管３の外周面３ａと貫通孔２の内周面２ａとの間の空間における屋内側の部分に充填シール材５を充填するための型枠１０を設置する。この際、型枠１０は、屋外側型枠１１、屋内側型枠１２、湯口１３とで構成されるようにする。また、屋外側型枠１１は、径方向外側に第一傾斜板部１１ａと、その内側に接続される第二傾斜板部１１ｂとを備えるようにする。
【００３５】
ここで、第一傾斜板部１１ａは、径方向外側に向かうにしたがって屋外側から屋内側に向かって断面が直線状に延びており、換言すれば、壁部１の屋外側である第二の面１ｂから壁部１の厚さ方向（配管３の軸方向）における中央部を向く方向（壁部１の厚さ方向一方側）に直線状に延びる環状の円錐台部材とする。
一方、第二傾斜板部１１ｂは、径方向外側に向かうにしたがって屋内側から屋外側に向かって断面が直線状に延びており、換言すれば、壁部１の厚さ方向（配管３の軸方向）における中央部から壁部１の屋外側である第二の面１ｂを向く方向（壁部１の厚さ方向他方側）に直線状に延びる環状の円錐台部材とする。
【００３６】
即ち、第一傾斜板部１１ａと第二傾斜板部１１ｂとでは、径方向外側に向かうにしたがって延びる方向が互いに反対となるようにする。したがって、第一傾斜板部１１ａの内側の部分に第二傾斜板部１１ｂの外側の部分を接続することにより、屋外側型枠１１の径方向中間部（第一傾斜板部１１ａと第二傾斜板部１１ｂの接続部）が屋内側から屋外側に向けて突出する凸形状となるように設置する。また、第一傾斜板部１１ａおよび第二傾斜板部１１ｂは、対応する貫通孔２または配管３の軸を中心とした同心円状となるように接続する。なお、これら第一傾斜板部１１ａおよび第二傾斜板部１１ｂを接続する径方向位置は、貫通孔２の内周面２ａと配管３の外周面３ａとのほぼ中間あたりが好ましいが、これに限定されるものではない。また、後述の工程で注入する充填シール材の屋外側を向く面に傾斜面を形成することができれば、屋外側型枠１１の屋外側を向く面は必ずしも傾斜していなくても構わない。
【００３７】
一方、屋内側型枠１２は、径方向に沿った方向に延びる環状の平板部材とする。なお、屋内側型枠１２は必ずしも径方向に沿った方向に延びる必要はなく、軸方向のいずれかに傾斜していても構わない。また、屋内側型枠１２は、平板に限られることはなく、曲面や凹凸面など他の面形状を有しても構わない。
湯口１３は、後述の工程で充填シール材５を注入する際に鉛直方向上方側になるように屋内側型枠１２の径方向外側に設置する。なお、湯口１３は屋内側型枠１２に限らず、屋外側型枠１１に設置してもよいし、あるいは、型枠１０ではなく別の部材、例えば壁部１などに設置してもよい。
【００３８】
なお、上述のような型枠１０を予め一体形成してから配管３と貫通孔２の内周面２ａとの間であって貫通孔２の屋内側の空間に設置してもよいし、あるいは、それぞれ別体で形成した屋外側型枠１１、屋内側型枠１２、湯口１３を予め組み立ててから設置してもよい。また、型枠１０を貫通孔２の屋内側の空間で組み立てながら設置してもよい。さらに、屋外側型枠１１と屋内側型枠１２とを必ずしも一体に組み立てなくても構わない。
また、型枠１０は、後述の工程で注入する充填シール材５が流出しないように貫通孔２の内周面２ａおよび配管３の外周面３ａの寸法形状に対応した寸法形状とし当接させる（工程３）。
【００３９】
次いで、図５に示すように、型枠１０内に湯口１３を介して液体状の充填シール材５を、配管３の外周面３ａと貫通孔２の内周面２ａとの間であって貫通孔２の屋内側の空間が充填シール材５で満たされるように充填する。なお、この空間内（型枠１０内）に空気が残らないように空気抜き孔（不図示）を型枠１０の鉛直方向上方側で湯口１３とは反対側の位置に設けておくとよい（工程４）。
次いで、図６に示すように、所定時間が経過し、注入した充填シール材５が硬化して固体状となった後、型枠１０を全て除去する。これにより、配管３と貫通孔２の内周面２ａとの間であって貫通孔２の屋内側の空間には硬化した充填シール材５のみが残る（工程５）。
次いで、硬化した充填シール材５のうち湯口１３や空気抜き孔の周りに残存しているバリ５ｄ（図６参照）などの余計な部分を除去する。これにより、図７に示すように、第一傾斜板部１１ａの屋内側面により形成された第一傾斜面５ａ、第二傾斜板部１１ｂの屋内側面により形成された第二傾斜面５ｂ、および、屋内側型枠１２の屋外側面により形成された側面５ｃを有する充填シール材５の状態となる（工程６）。
【００４０】
次いで、図８に示すように、プライマー７を貫通孔２の内周面２ａの伸縮性部材６施工部、および配管３の外周面３ａの伸縮性部材６施工部の全周にわたって塗布する。そして、第一傾斜面５ａと第二傾斜面５ｂにより径方向中間部が屋外側に向けて突出した凸形状となった充填シール材５の屋外側を向く面上に、貫通孔２の内周面２ａと配管３の外周面３ａとにわたってほぼ一定の厚さで積層されるように伸縮性部材６を施工する。この際、伸縮性部材６やプライマー７はヘラやハケ、スプレーなどを用いて塗布してもよいし、あるいは、予め成型しておいた伸縮性部材６を充填シール材５の屋外側を向く面に接着するなど他の方法を用いて積層させても構わない。そして、所定時間が経過すると、第一傾斜部６ａと第二傾斜部６ｂにより径方向中間部が屋外側に向けて突出した凸形状となった伸縮性部材６が硬化することによって、シール部４およびシール構造が完成する（工程７）。
【００４１】
なお、貫通孔２のない壁部１に対して新たに本発明のシール構造を設ける場合は、上述の工程１から工程７の順で施工すればよい。一方、配管３を挿通させていない貫通孔２を有する壁部１を用いて本発明のシール構造を新たに設ける場合は、貫通孔２に配管３を挿通させる工程２から施工すればよい。また、既に配管３を挿通させた貫通孔２を有する壁部１に本発明のシール構造を新たに設ける場合は、型枠１０を設置する工程３から施工すればよいし、あるいは、既設のシール構造を補修する場合は、既設のシール構造を除去した後、工程３から施工すればよい。
【００４２】
次に、本実施形態のシール構造の作用について説明する。
図９に示すように、例えば、地震の発生などによって壁部１の貫通孔２と配管３との相対的位置関係が変動した場合、即ち、図９の配管３の下方に見られるように、壁部１の貫通孔２と配管３との相対変位により、貫通孔２の内周面２ａと配管３の外周面３ａとが接近して充填シール材５および伸縮性部材６が圧縮された場合、充填シール材５は押しつぶされて樽状に丸く膨らむように変形する。したがって、第一傾斜面５ａおよび第二傾斜面５ｂからなる充填シール材５の屋外側を向く面も、側面５ｃからなる充填シール材５の屋内側を向く面も同様に丸く変形する。
【００４３】
ここで、本実施形態によれば、充填シール材５および伸縮性部材６には屋外側に突出する凸形状部を設けているので、この凸状に接続された伸縮性部材６の第一傾斜部６ａおよび第二傾斜部６ｂが、充填シール材５の変形に追従するように曲げ変形しながら屋外側に逃げることができる。これにより、充填シール材５および伸縮性部材６が圧縮された場合においても、その相対変位を吸収することができ、伸縮性部材６が座屈破壊されることを回避し易くなるため、シール構造の気密性および水密性を確保することができる。
【００４４】
一方、図９の配管３の上方に見られるように、充填シール材５と伸縮性部材６とが引張りの力を受ける場合は、プライマー７による貫通孔２の内周面２ａおよび配管３の外周面３ａに対する伸縮性部材６の接着性に比較して、充填シール材５に対する伸縮性部材６の接着性が低いので、引っ張られた伸縮性部材６が充填シール材５の屋外側を向く面から剥離することで、支点間距離が長くなり、引っ張りによる亀裂や切断の発生を低減し易くすることができる。
即ち、配管３が貫通孔２の内周面２ａから接近する方向に動いた場合、および離間する方向に動いた場合に、配管３の全周にわたって伸縮性部材６に座屈や亀裂の生じることがないため、シール構造の気密性および水密性を確保することができる。
【００４５】
また、伸縮性部材６と貫通孔２の内周面２ａとの間、および伸縮性部材６と配管３の外周面３ａとの間にはプライマー７が介在しているため、伸縮性部材６が引張りの力を受けた場合においても接着性が維持され、伸縮性部材６との間に隙間が生じることがない。
また、第一傾斜部６ａおよび第二傾斜部６ｂが、貫通孔２または配管３の軸を中心とした同心円状に設けられているため、圧縮や引張りによって伸縮性部材６に加えられる力を周方向において均一に分散させ易くなる。したがって、局所的な応力集中による伸縮性部材６の座屈や亀裂の発生を回避し易くなる。また、充填シール材５や伸縮性部材６の加工性および施工性を向上させることができる。
【００４６】
また、本実施形態では、充填シール材５の屋外側に設ける伸縮性部材６としてシリコンシーラントを用いたが、ここに設けられる部材は、高い伸縮性を有し、かつ、気密性および水密性を有する素材であればこれに限ることはない。
例えば、伸縮性部材６として、ポリブタジエン系の液状ゴム１４を採用することができる。液状ゴム１４を施工する場合は、まず、プライマー７処理をした上で液状ゴム１４を充填シール材５の屋外側に施工する。次いで、図１０に示すように、液状ゴム１４が流出しないように、貫通孔２の形状に対応した硬質板１５を屋外側から当接させて、液状ゴム１４の形状を整える。ただし、液状ゴム１４の流動性が高い場合には、硬質板１５を事前に配置して液状ゴム１４の流出を防ぐようにする。そして、液状ゴム１４が硬化した後に硬質板１５を除去することによってシール構造が完成する。
【００４７】
また、伸縮性部材６としては、ゴム状シートを採用することもできる。ゴム状シートを施工する場合は、まず、接着剤を貫通孔２の内周面２ａおよび配管３の外周面３ａに塗布する。次いで、ゴム状シートを配管３と貫通孔２の内周面２ａとの間に装着し、ゴム状シートと配管３、およびゴム状シートと貫通孔２の内周面２ａとを接着させる。そして、接着剤を硬化させることによりシール構造が完成する。
【００４８】
また、既設のシール構造に本実施形態の伸縮性部材６を適用する場合において、既設の充填シール材５が十分な軸方向の厚さを有していない場合においては、追加の充填シール材５を施工した後、伸縮性部材６を施工することができる。即ち、既設のシール構造にも容易に適用することができる。
【００４９】
（第二実施形態）
次に、第二実施形態に係るシール構造について説明する。
図１１に示すように、本実施形態における充填シール材５Ａの屋外側を向く面は、径方向内側に第一傾斜面５Ａａと、その外側に接続される第二傾斜面５Ａｂとを備えている。第一傾斜面５Ａａは、縦断面視において、径方向外側に向かうにしたがって屋外側から屋内側に向かって断面が直線状に延びており、換言すれば、壁部１の屋外側である第二の面１ｂから壁部１の厚さ方向（配管３の軸方向）における中央部を向く方向（厚さ方向の一方側）に直線状に延びる環状の円錐台状をなしている。
一方、第二傾斜面５Ａｂは、縦断面視において、径方向外側に向かうにしたがって屋内側から屋外側に向かって断面が直線状に延びており、換言すれば、壁部１の厚さ方向（配管３の軸方向）における中央部から壁部１の屋外側である第二の面１ｂを向く方向（厚さ方向の他方側）に直線状に延びる環状の円錐台面である。即ち、第一傾斜面５Ａａと第二傾斜面５Ａｂとでは、径方向外側に向かうにしたがって延びる方向が互いに反対となっている。したがって、第一傾斜面５Ａａの外側に第二傾斜面５ｂの内側が接続されることにより、充填シール材５Ａの屋外側を向く面の径方向中間部（第一傾斜面５Ａａと第二傾斜面５Ａｂの接続部）が屋外側から屋内側に向けて窪んだ凹面状となっている。
【００５０】
伸縮性部材６Ａは、充填シール材５Ａの屋外側を向く凹面全体にわたってほぼ一定の厚さで積層された第一傾斜部６Ａａおよび第二傾斜部６Ａｂからなる。したがって、第一傾斜部６Ａａは、充填シール材５Ａの第一傾斜面５Ａａと同様に、縦断面視において、径方向外側に向かうにしたがって屋外側から屋内側に向かって直線状に延びており、換言すれば、充填シール材５Ａ側に向かって直線状に延びる環状の円錐台状をなしている。
また、第二傾斜部６Ａｂは、充填シール材５Ａの第二傾斜面５Ａｂと同様に、縦断面視において、径方向外側に向かうにしたがって屋内側から屋外側に向かって直線状に延びており、換言すれば、充填シール材５Ａとは反対側に向かって直線状に延びる環状の円錐台状をなしている。即ち、第一傾斜部６Ａａと第二傾斜部６Ａｂとでは、径方向外側に向かうにしたがって延びる方向が互いに反対となっている。したがって、第一傾斜部６Ａａの外側に第二傾斜部６Ａｂの内側が接続されることにより、伸縮性部材６Ａの径方向中間部（第一傾斜部６Ａａと第二傾斜部６Ａｂの接続部）が屋外側から屋内側に向けて窪んだ凹形状となっている。
【００５１】
本実施形態によれば、図１２の配管３の下方に見られるように、壁部１の貫通孔２と配管３との相対変位により、貫通孔２の内周面２ａと配管３の外周面３ａとが接近して充填シール材５Ａおよび伸縮性部材６Ａが圧縮された場合においても、充填シール材５Ａおよび伸縮性部材６Ａには屋内側に窪んだ凹形状部を設けているので、この凹状に接続された伸縮性部材６Ａの第一傾斜部６Ａａおよび第二傾斜部６Ａｂが、充填シール材５Ａの変形に追従するように曲げ変形しながら屋内側に逃げることができる。これにより、充填シール材５Ａおよび伸縮性部材６Ａが圧縮されても、その相対変位を吸収することができ、伸縮性部材６Ａが座屈されることを回避し易くなる。したがって、シール構造の気密性および水密性を確保することができる。
【００５２】
また、伸縮性部材６Ａと貫通孔２の内周面２ａとの間、および伸縮性部材６Ａと配管３の外周面３ａとの間にはプライマー７が介在しているため、図１２の配管３の上方に見られるように、伸縮性部材６Ａが引張りの力を受けた場合においても接着性が維持され、伸縮性部材６Ａとの間に隙間が生じることがない。
【００５３】
なお、第一実施形態と同様に、伸縮性部材６Ａとして液状ゴム１４やゴム状シートを採用することもできる。
【００５４】
（第三実施形態）
次に、第三実施形態に係るシール構造について説明する。
なお、本実施形態では、伸縮性部材、および、充填シール材の伸縮性部材を積層する面の形状が、上述した第一実施形態と相違するのみであるため、その他の同様の部分についてはその説明を省略する。
【００５５】
図１３に示すように、本実施形態における充填シール材５Ｂの屋外側を向く面は、径方向の外側から内側に向けて一組の第一傾斜面５Ｂａおよび第二傾斜面５Ｂｂと、更にもう一組の第一傾斜面５Ｂａおよび第二傾斜面５Ｂｂとを備えている。即ち、第一傾斜面５Ｂａおよび第二傾斜面５Ｂｂが径方向において交互に二つずつ同心円状に設けられている。換言すれば、充填シール材５Ａの屋外側を向く面は、一組の第一傾斜面５Ｂａと第二傾斜面５Ｂｂとからなる屋内側から屋外側へ突出する凸面が二組形成されている。
【００５６】
伸縮性部材６Ｂも同様に、径方向の外側から内側に向けて一組の第一傾斜部６Ｂａおよび第二傾斜部６Ｂｂと、更にもう一組の第一傾斜部６Ｂａおよび第二傾斜部６Ｂｂとを備えている。即ち、第一傾斜部６Ｂａおよび第二傾斜部６Ｂｂが径方向において交互に二つずつ同心円状に設けられている。換言すれば、伸縮性部材６Ｂは、一組の第一傾斜部６Ｂａと第二傾斜部６Ｂｂとからなる屋内側から屋外側へ突出する凸形状部が二組形成されている。
【００５７】
本実施形態によれば、壁部１の貫通孔２と配管３との相対変位により、貫通孔２の内周面２ａと配管３の外周面３ａとが接近して充填シール材５Ｂおよび伸縮性部材６Ｂが圧縮された場合においても、伸縮性部材６Ｂに第一傾斜部６Ｂａおよび第二傾斜部６Ｂｂを交互に複数設けることで、伸縮性部材６Ｂの曲げ変形、および、それによる相対変位の吸収を径方向における複数箇所に分散させることができる。したがって、伸縮性部材６Ｂの座屈をより回避し易くなるので、シール構造の気密性および水密性を更に向上させることができる。
【００５８】
なお、本実施形態では凸形状部を二組としたが、これに限らず、三組以上としてもよい。また、伸縮性部材６Ｂが第一傾斜部６Ｂａおよび第二傾斜部６Ｂｂの少なくとも一方を複数有し、かつ第一傾斜部６Ｂａおよび第二傾斜部６Ｂｂが径方向において交互に接続されていればよく、例えば、径方向の外側から内側に向けて第一傾斜部６Ｂａ、第二傾斜部６Ｂｂ、第一傾斜部６Ｂａという３つの傾斜部の組合せなどでも構わない。
【００５９】
なお、本発明の技術範囲は上記の実施形態に限定されるものではなく、本発明の趣旨を逸脱しない範囲において、種々の変更や組合せを加えることが可能である。例えば、以上で説明した各実施形態では、貫通孔２を挿通する配設部材として配管３を用いたが、これに限ることはなく、ダクトや電線など建屋の内外に延在するあらゆる配設部材に対して本発明を適用することができる。
【００６０】
また、上記実施形態では、壁部１は建屋等の外壁を構成すると説明したが、これに限ることはなく、例えば、屋内であっても気密性および水密性を確保する必要性のある空間を形成する壁部材にも適用できる。また、建屋の壁以外の床や屋根などにも適用できる。
【００６１】
また、上記実施形態では、貫通孔２および配管３は、断面円形であると説明したが、これに限ることはなく、例えば長円形や楕円形、矩形などの多角形のように他の断面形状としてもよい。なお、円形に近い形状が好ましく、また、貫通孔２および配管３の断面形状が相似であることが好ましい。
【００６２】
また、上記実施形態では、第一傾斜面５ａ，５Ａａ，５Ｂａと第二傾斜面５ｂ，５Ａｂ，５Ｂｂ、第一傾斜部６ａ，６Ａａ，６Ｂａと第二傾斜部６ｂ，６Ａｂ，６Ｂｂ、第一傾斜板部１１ａと第二傾斜板部１１ｂが、それぞれ貫通孔２または配管３の軸を中心とした同心円状となるように接続すると説明したが、これに限ることはなく、例えば、貫通孔２または配管３の軸を中心としていない同心円状としてもよいし、あるいは、軸を中心とした渦巻き状に接続してもよい。また、接続部分が長円形や楕円形、矩形などの多角形状をなすように接続してもよい。なお、貫通孔２および配管３の断面を含めて各々が相似形状であることが好ましい。
【００６３】
また、上記実施形態では、第一傾斜部６ａ，６Ａａ，６Ｂａ、および、第二傾斜部６ｂ，６Ｂａ，６Ｂｂを有する伸縮性部材６，６Ａ，６Ｂを、充填シール材５，５Ａ，５Ｂの屋外側に積層すると説明したが、これに限ることはなく、図１４に示すように、充填シール材５，５Ａ，５Ｂの屋内側に積層してもよいし、または、図１５に示すように、屋外および屋内の両側に積層してもよい。
【００６４】
また、上記実施形態では、充填シール材５，５Ａ，５Ｂの屋外側を向く面全体に、第一傾斜面５ａ，５Ａａ，５Ｂａと第二傾斜面５ｂ，５Ａｂ，５Ｂｂを、伸縮性部材６，６Ａ，６Ｂ全体に、第一傾斜部６ａ，６Ａａ，６Ｂａと第二傾斜部６ｂ，６Ａｂ，６Ｂｂを、屋外側型枠１１全体に、第一傾斜板部１１ａと第二傾斜板部１１ｂを、それぞれ配置したが、これに限ることはなく、径方向における一部に配置してもよい。例えば、図１４に示すように、径方向における中間付近にのみ設けてもよいし、図１５に示すように、貫通孔２の内周面２ａおよび配管３の外周面３ａ付近にのみ設けてもよい。または、図示はしないが、貫通孔２の内周面２ａおよび配管３の外周面３ａ付近のいずれか一方にのみ設けてもよい。
【００６５】
また、上記実施形態では、第一傾斜面５ａ，５Ａａ，５Ｂａ、第二傾斜面５ｂ，５Ａｂ，５Ｂｂ、第一傾斜部６ａ，６Ａａ，６Ｂａ、第二傾斜部６ｂ，６Ａｂ，６Ｂｂ、第一傾斜板部１１ａ、第二傾斜板部１１ｂは、縦断面視で直線状に延びると説明したが、これに限ることはなく、例えば、図１６に示すように、少なくとも一部を曲線状にしてもよく、更にはお互いの接続部を曲線状に滑らかに接続させてもよい。
【００６６】
また、上記実施形態では、伸縮性部材６はほぼ一定の厚さで積層されると説明したが、これに限ることはなく、一定の厚さでなくてもよい。例えば、貫通孔２の内周面２ａおよび配管３の外周面３ａ付近の厚さ寸法を大きく、径方向における中間付近の厚さ寸法を小さくすることにより、プライマー７を介しての貫通孔２の内周面２ａおよび配管３の外周面３ａに対する接着性を向上させることができる。また、その厚さ寸法の大きさは特に問わない。
【符号の説明】
【００６７】
１                      壁部
１ａ                    第一の面
１ｂ                    第二の面
２                      貫通孔
２ａ                    内周面
３                      配管（配設部材）
３ａ                    外周面
４                      シール部
５，５Ａ，５Ｂ          充填シール材
５ａ，５Ａａ，５Ｂａ    第一傾斜面
５ｂ，５Ａｂ，５Ｂｂ    第二傾斜面
５ｃ                    側面
６，６Ａ，６Ｂ          伸縮性部材
６ａ，６Ａａ，６Ｂａ    第一傾斜部
６ｂ，６Ａｂ，６Ｂｂ    第二傾斜部
７                      プライマー
１０                    型枠
１１                    屋外側型枠
１１ａ                  第一傾斜板部
１１ｂ                  第二傾斜板部
１２                    屋内側型枠
１３                    湯口
１４                    液状ゴム
１５                    硬質板
【図１】
2014025264.tif 000003
【図２】
2014025264.tif 000004
【図３】
2014025264.tif 000005
【図４】
2014025264.tif 000006
【図５】
2014025264.tif 000007
【図６】
2014025264.tif 000008
【図７】
2014025264.tif 000009
【図８】
2014025264.tif 000010
【図９】
2014025264.tif 000011
【図１０】
2014025264.tif 000012
【図１１】
2014025264.tif 000013
【図１２】
2014025264.tif 000014
【図１３】
2014025264.tif 000015
【図１４】
2014025264.tif 000016
【図１５】
2014025264.tif 000017
【図１６】
2014025264.tif 000018
【図１７】
2014025264.tif 000019
【図１８】
2014025264.tif 000020